(57)【要約】【課題】異なる粒子の大きさの汚れおよび／または埃の収容に自在に使用でき、とりわけ良好な細塵の収容に特に優れた吸込ノズルを提供する。【解決手段】吸込気流を使って汚れおよび／または埃を床から吸込む掃除機用の吸込ノズルが、ハウジング（１）、ハウジング（１）内に成形された吸込室（３）、吸込室（３）に繋がる吸込気流を案内するための吸込管（４）および吸込室（３）の床側の開口部として形成される吸込口（５）を有し、吸込口（５）が中央吸込口部分（６）および中央吸込口部分（６）の側方にある２つの側方吸込口部分（７）を有し、側方吸込口部分（７）が、側方吸込口部分（７）が吸込管（４）から離れるように吸込ノズルの反対側の側面（９ａ）に向かってその横断面で先細りしながら延び、その頭部端でそれぞれ１つの終端部材（１０ａ）によって一部閉じられるように形成される。【選択図】図１
2016214874.tif 000002
【特許請求の範囲】
【請求項１】
ハウジング（１）、前記ハウジング（１）内に成形された吸込室（３）、前記吸込室（３）に繋がる吸込気流を案内するための吸込管（４）および前記吸込室（３）の床側の開口部として形成される吸込口（５）を有する、吸込気流を使って汚れおよび／または埃を床から吸込む掃除機用の吸込ノズルであって、
前記吸込口（５）が中央吸込口部分（６）および前記中央吸込口部分（６）の側方にある２つの側方吸込口部分（７）を有し、
前記側方吸込口部分（７）が、前記側方吸込口部分（７）が前記吸込管（４）から離れるように吸込ノズルの反対側の側面（９ａ）に向かってその横断面で先細りして延び、その頭部端でそれぞれ１つの終端部材（１０ａ）によって一部閉じられるように形成される吸込ノズル。
【請求項２】
前記側方吸込口部分（７）の横断面が直線的、段階的および／またはカーブ状に先細りする請求項１に記載の吸込ノズル。
【請求項３】
前記吸込管（４）で≧３０ｍｍおよび≦４０ｍｍ、好ましくは３３ｍｍの前記側方吸込口部分（７）の幅が、前記吸込ノズルの前記側面（９ａ）の前記終端部材（１０ａ）の前で≧２０ｍｍおよび≦３０ｍｍ、好ましくは２７ｍｍに先細り、前記側方吸込口部分（７）の高さが前記吸込管（４）および前記吸込ノズルの前記側面（９ａ）の終端部材（１０ａ）の前で≧２０ｍｍおよび≦３０ｍｍ、好ましくは２２ｍｍであるように前記側方吸込口部分（７）が実施される請求項１または２に記載の吸込ノズル。
【請求項４】
前記終端部材（１０ａ）が突起状に前記ハウジングから離れるように床の方向に延び、前記終端部材（１０ａ）が前記側方吸込口部分（７）の前記吸込ノズルの前記側面（９ａ）の開口部（１０）を≧６ｍｍおよび≦１０ｍｍ、好ましくは７．６ｍｍの高さ、および≧２０ｍｍおよび≦３０ｍｍ、好ましくは２５ｍｍの幅で形成する請求項１〜３の何れか一項に記載の吸込ノズル。
【請求項５】
前記終端部材（１０ａ）がハウジング（１）と一体的に形成され、≧２ｍｍおよび≦４ｍｍ、好ましくは２．５ｍｍの厚さを有する請求項１〜４の何れか一項に記載の吸込ノズル。
【請求項６】
前記側方吸込口部分（７）が吸込ノズルの側面（９ａ）に湾曲（９ｂ）を有し、前記湾曲（９ｂ）が好ましくは、前記湾曲（９ｂ）によって前記側方吸込口部分（７）の幅が縮小され、および／または前記終端部材（１０ａ）によって前記吸込ノズルの前記側面（９ａ）に形成された前記側方吸込口部分（７）の前記開口部（１０）が前記中央吸込口部分（７）の前方開口部に向かって垂直に延びるように形成される請求項１〜５の何れか一項に記載の吸込ノズル。
【請求項７】
前記吸込口（５）が二等辺三角形のような形を有し、好ましくは前記吸込管（４）が三角形の辺の間の頂点領域で前記吸込室（３）に繋がり、前記吸込室（３）は、中央吸込口部分（６）が前記吸込管（４）から二等辺三角形の前記底辺（６ａ）まで延び、前記側方吸込口部分（７）が前記吸込管（４）から二等辺三角形のそれぞれの辺に沿って頂点の反対側に配置された二等辺三角形の角（７ａ）まで延びるように成形される請求項１〜６の何れか一項に記載の吸込ノズル。
【請求項８】
前記２つの側方吸込口部分（７）が前記吸込管（４）から離れるように前記吸込ノズルのそれぞれ１つの側面（９ａ）に、前記２つの側方吸込口部分（７）の長手延在方向間の角αが４５°≦α≦１６０°、好ましくは９０°≦α≦１３５°、とりわけ好ましくはα≦１３５°になるように延びるか、または前記２つの側方吸込口部分（７）が前記吸込管（４）から曲線を描いて互いから離れるように延びる請求項１〜７の何れか一項に記載の吸込ノズル。
【請求項９】
前記側方吸込口部分（７）がそれぞれ前記吸込管（４）から前記吸込ノズルの前記側面（９ａ）に延びる内側および外側の側方気流シール手段（８）によって画成され、前記中央吸込口部分（６）がそれぞれの前記側方吸込口部分（７）の前記内側の側方気流シール手段（８）によって画成される請求項１〜８の何れか一項に記載の吸込ノズル。
【請求項１０】
前記吸込口（５）がさらなる中央吸込口部分および前記さらなる中央吸込口部分の側方にある２つのさらなる側方吸込口部分を有し、前記中央吸込口部分（６）および前記さらなる中央吸込口部分は前記吸込管（４）から逆の方向に、前記２つの側方吸込口部分（７）および前記２つのさらなる側方吸込口部分がＸ字型の配置を形成するように、離れるように延びる請求項１〜９の何れか一項に記載の吸込ノズル。
【発明の詳細な説明】
【技術分野】
【０００１】
本発明は、ハウジング、ハウジング内に成形された吸込室、吸込室に繋がる吸込気流を案内するための吸込管および吸込室の床側の開口部として形成される吸込口を有する、吸込気流を使って汚れおよび／または埃を床から吸込む掃除機用の吸込ノズルに関する。
【背景技術】
【０００２】
取り付け工具でもあり、ノズルと略され、または使用目的に関連し硬質床用ノズルまたはカーペット用ノズルと呼ばれる吸込ノズルは、実用の場で知られており、通常汚れおよび／または埃を床から吸込む掃除機とともに使用される。このような吸込ノズルを有する掃除機は通常中に電気駆動される吸込気流を生成するための吸込ファンモータが配置された基本体を有する。吸込ノズルは典型的に柔軟な吸込ホースおよび／または操作管を介して掃除機と気密に接続されている。吸込ロボットの場合吸込ノズルは一般に基本体そのものに統合されている。吸込ノズルには汚れおよび／または埃を床から取除するための幾層ものブラシ毛の列またはそれに準ずるものが設けられる。そのようにして床から取り除かれた埃および／または汚れは吸込気流に引きさらわれ大部分基本体中に配置された集塵室中の塵フィルターバックに隔離される。
【０００３】
床から取除されるべき汚れあるいは埃は、それぞれ粒子の大きさにより粗塵と細塵に区別される。従来技術から一方で粗塵の収容に最適化された吸込ノズルが公知である一方、別の吸込ノズルはまた細塵をとりわけ良好に収容するように設計されている。例えば硬質床用ノズルの多くは粗塵の吸込みのためには形成されていない一方、手動でフットスイッチにより粗塵と細塵の収容の間を切り換えることができるさらなる吸込ノズルが存在する。フットスイッチの操作により多くはブラシ毛の列が吸込ノズルから延び、それらによって吸込ノズルの床への間隔が拡大するため、粗塵がより良好に収容あるいは吸引されることができる。しかし最終的には従来技術から公知の吸込ノズルは競合し、その限りで対抗する要求の１つのみを満たすか、則ち粗塵または細塵の何れかの収容を提供するか、しかしまたは使用者が異なる運転モードを手動で切り替えなければならない。
【発明の概要】
【発明が解決しようとする課題】
【０００４】
それを起端とする本発明の課題は異なる粒子の大きさの汚れおよび／または埃の収容に自在に使用でき、とりわけ良好な細塵の収容に特に優れた吸込ノズルを提供することである。そのことから吸込ノズルは、そのために吸込ノズルの運転モードを手動で切り換える必要なしに粗塵も細塵も収容することを許すべきである。そのことからこのような吸込ノズルがわずかな推力および／またはわずかな騒音放出によって特徴付けられることが望ましい。
【課題を解決するための手段】
【０００５】
本発明の課題は、本発明により独立請求項の特徴によって解決される。本発明による他の好ましい形態は、従属請求項から読み取ることができる。
【０００６】
それによると、ハウジング、ハウジング内に成形された吸込室、吸込室に繋がる吸込気流を案内するための吸込管および吸込室の床側の開口部として形成される吸込口を有し、吸込口が中央吸込口部分および中央吸込口部分の側方にある２つの側方吸込口部分を有し、側方吸込口部分が、側方吸込口部分が吸込管から離れるように吸込ノズルの反対側の側面に向かってその横断面で先細りして延び、その頭部端でそれぞれ終端部材によって一部閉じられるように形成される、吸込気流を使って汚れおよび／または埃を床から吸込む掃除機用の吸込ノズルによって課題は解決される。
【０００７】
本発明の本質的な点は、吸込口を中央吸込口部分と２つの側方吸込口部分に分離したことにあり、分離された領域は、とりわけ側方吸込口部分による細塵の収容のために、およびとりわけ中央吸込口部分による粗塵の収納のために設けられる。その横断面で先細りし、その頭部端でそれぞれ終端部材によって一部閉じられる側方吸込口部分の提案された形態により、側方吸込口部分中の高気流速度あるいは高体積流量が達成され、それによって従来技術からの公知の形態に比較して実質的により良好な細塵収容が可能になる。側方吸込口部分および中央吸込口部分を通して流入した吸込気流は吸込管の領域で合流し、そこから吸込気流は床から吸い上げられた汚れあるいは埃とともに例えば管継ぎ手によって吸込ノズルから排出される。
【０００８】
提案された形態によって側方吸込口部分に結果として生じた高い負圧は有利に吸込ノズルの比較的小さな負圧が加わる面で実現される。これに相応して提案される吸込ノズルはわずかな推力によって特徴付けられる。細塵と粗塵の吸込みのための異なる運転モードの手動切り替えの必要もないため、吸込ノズルはとりわけ簡単な作業を許す。ここで吸込ノズルはさらに有利なことにわずかな騒音放出によって特徴付けられる。結果として提案される吸込ノズルは側方吸込口部分の形態および吸込口を中央吸込口部分と中央吸込口部分を好ましくは囲む２つの側方吸込口部分とに分離した形態によって、とりわけ高い吸込力を細塵と粗塵の両方の収容時に実現する。ここで吸込ノズルの部品配置の記述のために選択された専門用語は、吸込ノズルが床上に置かれその上を動くことによって、それが床上を吸引する運転中どのようであるかという、吸込ノズルの位置および方向付けを前提として使用されている。
【０００９】
好ましい発展形態では、側方吸込口部分の横断面が直線的、段階的におよび／またはカーブ状に先細りする。とりわけ好ましくは側方吸込口部分が、吸込管で≧３０ｍｍおよび≦４０ｍｍ、好ましくは３５ｍｍである側方吸込口部分の幅が、吸込ノズルの側面の終端部材の前で≧２０ｍｍおよび≦３０ｍｍ、好ましくは２５ｍｍに先細るように実施され、側方吸込口部分の高さが吸込管で、および吸込ノズルの側面の終端部材の前で≧２０ｍｍおよび≦３０ｍｍ、好ましくは２２ｍｍである。最適な細塵収容のために、側方吸込口部分がそれらの吸込管への合流点でそれぞれ幅３３ｍｍであり、終端部材の前の領域で２７ｍｍに直線的に先細る一方、それぞれの側方吸込口部分の高さが一定的に２２ｍｍであるとき、とりわけ有利であると実験で実証された。
【００１０】
終端部材の形成のためには異なる可能性が存在し、基本的に好ましくは終端部材によって側方吸込口部分の横断面が縮小される。とりわけ好ましい形態によると、終端部材が突起状にハウジングから離れるように床の方向に延び、終端部材が側方吸込口部分の開口部を吸込ノズルの側面で≧６ｍｍおよび≦１０ｍｍ、好ましくは７．６ｍｍの高さ、および≧２０ｍｍおよび≦３０ｍｍ、好ましくは２５ｍｍの幅で形成する。終端部材は好ましくは底面図で判定すると側方のＵ字型窓として形成される。側面図で判定すると窓は好ましくは少なくとも一部ハウジングおよび側方の以下に説明される気流シール手段によって画成される。とりわけ好ましくは終端部材がハウジングと一体的に形成され、例えばプラスチックから射出され、≧２ｍｍおよび≦４ｍｍ、好ましくは２．５ｍｍの厚さを有する。終端部材は好ましくは垂直方向にハウジングから離れるように延びる。
【００１１】
さらなるとりわけ有利な形態では側方吸込口部分が吸込ノズルの側面のその頭部端でそれぞれ１つの湾曲を有し、湾曲は好ましくは、湾曲によって側方吸込口部分の幅が縮小され、および／または終端部材によって吸込ノズルの側面に形成された側方吸込口部分の開口部が中央吸込口部分の前方開口部に向かって垂直に延びるように形成される。湾曲は好ましくは湾曲による側方吸込口部分の２ｍｍ、５ｍｍまたは１０ｍｍの幅の縮小が、吸込ノズルの側面の方向に生じるように形成される。すでに前述した形態に関連して、とりわけ良好な細塵の収容は、それらの吸込管への合流点でそれぞれ３３ｍｍの幅の側方吸込口部分が直線的に湾曲の直前で２７ｍｍまでの幅に先細り、それにさらなる湾曲によって生じるそれぞれの側面での幅の２５ｍｍまでの先細りが続くときに達成される。
【００１２】
好ましい発展形態では、吸込口および／または中央吸込口部分が二等辺三角形のような形を有し、好ましくは吸込管が三角形の辺の間の頂点領域で、吸込室に繋がり、この吸込室は、中央吸込口部分が吸込管から二等辺三角形の底辺まで延び、側方吸込口部分が吸込管から二等辺三角形のそれぞれの辺に沿って頂点の反対側に配置された二等辺三角形の角まで延びるように成形される。提案された形態により中央吸込口部分によって形成された吸込ノズルの往き行程の粗塵領域は、実質的に側方吸込口部分によって形成された細塵領域の前に配置される。好ましくはこのとき二等辺三角形の頂点の反対側に配置された角における側方吸込口部分が中央吸込口部分を画定する。このように細塵収容は有利には少なくとも吸込ノズルの角領域および吸込ノズルの前面まで可能である。
【００１３】
さらなる好ましい形態によると、２つの側方吸込口部分は吸込管からそれぞれ吸込ノズルの側面へ離れるように、２つの側方吸込口部分の長手延在方向の間の角αが４５°≦α≦１６０°、好ましくは９０°≦α≦１３５°、とりわけ好ましくはα≦１３５°になるように延びるか、または２つの側方吸込口部分が吸込管から曲線を描いて互いから離れるように延びる。２つの側方吸込口部分が吸込管と吸込ノズルの側面の間を直線的にまたはほぼ直線的に例えば二等辺三角形のように形成された吸込口の辺に沿って延びるならば、中央吸込口部分は好ましくは二等辺三角形のような三角形を有し、その底辺は吸込ノズルの前面の方向に向けられる。
【００１４】
とりわけ好ましい発展形態によると、側方吸込口部分はそれぞれ吸込管から吸込ノズルの側面に延びる内側および外側の側方気流シール手段によって、中央吸込口部分がそれぞれの側方吸込口部分の内側の側方気流シール手段によって画成されるように画成される。内側および外側の気流シール手段は基本的に任意に吸込気流を密封するために形成され、しかし好ましくは側方気流シール手段はブラシ毛の列、毛房の１列または多数列の配置、シールリップおよび／またはそれらの組み合わせとして形成される。
【００１５】
ブラシ毛あるいはシールリップは好ましくはハウジングから垂直に離れるように床の方向に延び、柔軟に形成されるため、吸込ノズルの通常の移動方向への移動のとき、ブラシ毛あるいはシールリップの下の床上にある粗塵または細塵がこれらを通して中央吸込口部分および／または側方吸込口部分に到達することができる。２つの内側気流シール手段は好ましくは吸込管と中央吸込口部分間の吸込気流の通路を画成し、２つの内側気流シール手段間の開口幅は好ましくは２５ｍｍ、３０ｍｍ、３２ｍｍ、３７ｍｍ、４０ｍｍまたは４５ｍｍであり、それによって吸込気流の≧４０％および≦６５％の部分は中央吸込口部分を通って流れる。
【００１６】
とりわけ好ましくは側方気流シール手段が吸込管からほぼ直線的に吸込ノズルの側面まで延びる。外側の側方気流シール手段は好ましくは吸込ノズルの縁部に配置され好ましくはそのように全縁部に沿うように延びる。吸込管の領域で２つの外側気流シール手段は好ましくは一体的に形成され、とりわけ好ましくはカーブ状に融合する。吸込管は好ましくは円形または楕円形の横断面を有し、それは合流口領域で少なくとも一部外側の側方気流シール手段によって画成される。吸込ノズルの側面であるいは二等辺三角形状の吸込口の場合三角形の角で、側方吸込口部分が好ましくは例えばそれによって細塵がそれぞれの側方吸込口部分に流れ込むことのできるＵ型の側方窓によって開口される。
【００１７】
好ましい発展形態によると、吸込口はさらなる中央吸込口部分およびさらなる中央吸込口部分の側方にある２つのさらなる側方吸込口部分を有し、中央吸込口部分およびさらなる中央吸込口部分は吸込管から離れるように反対側の方向に、２つの側方吸込口部分および２つのさらなる側方吸込口部分がＸ字型の配置を形成するように延びる。このように形成される吸込ノズルは往き行程でも戻り行程でも粗塵を収容することができる。好ましくは吸込ノズルが往き行程および戻り行程で対称に、とりわけ鏡対称に構成される。さらに好ましくは吸込管が上面図でこの形態の中心を成し、そこから離れるように中央吸込口部分が２つの側方吸込口部分とともに、およびとりわけ鏡対称に向かい合いながらさらなる中央吸込口部分がさらなる側方吸込口部分とともに延びる。このような形態では使用者が従来技術から公知の吸込ノズルを手動で１８０°回転させる代わりに、往き行程でも戻り行程でも粗塵を収容するためにただ吸込ノズルを前後に動かすのみである。
【図面の簡単な説明】
【００１８】
【図１】本発明の好ましい実施形態による吸込ノズルを吸込ノズルの概略的下面図で示す。
【図２】図１の吸込ノズルの透視図を示す。
【発明を実施するための形態】
【００１９】
以下、図を参照し、好ましい実施形態を元に本発明を詳しく説明する。
【００２０】
図１および図２は床用ノズルとも呼ばれる吸込ノズルを概略的下面図で示す。吸込ノズルはプラスチックから成るハウジング１を有し、その床側に底板２が形成される。底板２の下に吸込室３が形成され、それに吸込管４が繋がり、それは床側の開口部として吸込口５を形成する。図１でわかるように、底板２および吸込口５は二等辺三角形のような形を有し、その底辺６ａは往き行程方向に吸込ノズルの前面を形作る。
【００２１】
吸込管４は気密にハウジング１の上面に設けられた図示されない管継ぎ手と接続される。管継ぎ手に操作管および／または柔軟なホースが気密に掃除機の基本体と接続され、その中には電気駆動される吸込気流を生成するための吸込ファンモータが配置される。基本体に配置された集塵室の中で掃除されるべき床から吸込気流によって引きさらわれた汚れおよび／または埃を塵フィルターバック中に隔離できる。
【００２２】
吸込口５は中央吸込口部分６および中央吸込口部分６の側方にある、あるいはこれを挟む２つの側方吸込口部分７を有する。側方吸込口部分７は吸込管４から実質的に直線的にそれぞれ二等辺三角形の角７ａに向かって延び、角αは２つの側方吸込口部分７の長手延在方向の間で１３５°になる。側方吸込口部分７は気流技術的に内側および外側の側方気流シール手段８によって画成される。外側の側方気流シール手段８は二等辺三角形のそれぞれの角７ａからそれぞれの辺に沿って延び、吸込管４を一部画成する２つの辺の間で部分円形に融合する。
【００２３】
それに対応して吸込ノズルの背面全体が、ここではブラシ毛列として形成される外側の側方気流シール手段８によって画定される。内側の側方気流シール手段８は外側の側方気流シール手段８にほぼ平行して吸込管４から離れるように角７ａの方向に、２つの内側の側方気流シール手段８の間の吸込管４に吸込気流のための空気通路９が形成されるように延びる。空気通路９がここでは３７ｍｍの幅を有する一方、２つの側方吸込口部分７は吸込管４の領域でそれぞれ３５ｍｍの幅を有する。上記の寸法によって、吸込気流の４５％が吸込管４から中央吸込口部分６を通して流れる一方、残りの５５％が均等に２つの側方吸込口部分７に分配されることが達成される。
【００２４】
２つの側方吸込口部分７は吸込管４から吸込ノズルの反対側の側面９ａに向かって延び、側面９ａのその頭部端にそれぞれ１つの側面開口部１０を有する。吸込管４から側面９ａに向かうその延在に沿って側方吸込口部分７が一定の高さ２２ｍｍを有する一方、直線的に吸込管４で３５ｍｍである側方吸込口部分７の幅が、次に側方吸込口部分７の湾曲９ｂの前で２６ｍｍに、その後開口部１０で２５ｍｍに縮小する。側方吸込口部分７が吸込管４から離れるようにまず６７．５°の角度で底辺６ａあるいは吸込ノズルの前面に関して延びる一方、湾曲９ｂは、開口部１０がそれぞれ垂直に、またはほぼ垂直に底辺６ａあるいは吸込ノズルの前面に向かって延びるように作用する。
【００２５】
開口部１０に２つの側方吸込口部分７がそれぞれ１つの終端部材１０ａによって一部閉鎖され、それによってＵ字型の窓が側方吸込口部分７の側面開口部１０として形成される。平面的に形成される終端部材１０ａはスロットル壁とも呼ばれ、ハウジング１と一体的に形成され、材料厚さ２．５ｍｍのとき床および吸込ノズルの前面に垂直にハウジング１から床の方向に延び、床と床に向き合う開口部１０の下縁の間でそれぞれの側方吸込口部分７の開口幅が７．６ｍｍに形成される。
【００２６】
吸込口５および底板２と同様に中央吸込口部分６は二等辺三角形のような形を有し、２つの内側の側方気流シール手段８が中央吸込口部分６を辺によって気密に画成する。すでに言及したように中央吸込口部分の頂点には空気通路９が吸込管４に向かって配置される一方、底辺６ａあるいは吸込ノズルの前面に向き合い前方気流シール手段１１が中央吸込口部分６の少なくとも一部の密閉のために設けられる。
【００２７】
前方気流シール手段１１は柔軟なシールリップとして形成されるため、粗塵はシールリップを通過できる。中央吸込口部分６に到達した粗塵は吸込気流に捉えられ吸込管４を通して吸込まれる。前方気流シール手段１１は底板２から床まで届き、それぞれ前方気流シール手段１１と吸込ノズルの角７ａの間の側方に約５０ｍｍの隙間が形成される。このようにシールリップとして形成された前方気流シール手段１１は粗塵の吸込室３中への引き渡しのとき内側の側方気流シール手段８に触れることなく旋回できる。
【００２８】
前方気流シール手段１１によってすでに吸込気流によって引き起こされた騒音放出の発生が低減される一方、騒音放出のさらなる低減のために音遮断手段１２が設けられ、それはここでは図１で示された下面図でハウジング１と一体的に形成されたＶ型の枠縁として形成され、それは床に触れることなく底板２から床に向けられる。このように形成された音遮断手段１２は吸込管４と吸込ノズルの前面を成形する底辺６ａの間の吸込気流方向中の中央吸込口部分６に配置される。
【００２９】
前方気流シール手段１１と音遮断手段１２の間の間隔は１５ｍｍである一方、音遮断手段１２と内側の側方気流シール手段８との間隔はそれぞれ２２ｍｍである。代換的に音遮断手段１２は２つの約５ｃｍの長さで延びるブラシ毛の列によって実施されることもでき、それらは互いに約３０°の角度でずれ、吸込管４から前面への直接の騒音放出が低減されるように底板２に配置される。
【００３０】
２つの側面９ａにそれぞれ１つの終端部材１０ａによって部分閉鎖される、その横断面で先細りする側方吸込口部分７の提案される実施形態により、高気流速度あるいは高体積流量が側方吸込口部分７の中に達成され、それによって従来技術から公知の実施形態と比較し実質的にとりわけ継ぎ目および隙間からのより良好な細塵収容が実現される。吸込口５が比較的小さな負圧の加わる面を有するため、前述の実施形態はわずかな推力によって特徴付けられる。もう一方で中央吸込口部分６はそれに対して開放的に形成されるため、吸込みノズルはここで非常に効率的な粗塵収容を発揮し、音遮断手段１２および前方気流シール手段１１によってわずかな騒音放出のみが記録される。
【符号の説明】
【００３１】
１  ハウジング
２  底板
３  吸込室
４  吸込管
５  吸込口
６  中央吸込口部分
６ａ  底辺
７  側方吸込口部分
７ａ  角
８  気流シール手段
９  空気通路
９ａ  側面
９ｂ  湾曲
１０  開口部
１０ａ  終端部材
１１  前方気流シール手段
１２  音遮断手段
α  角
【図１】
2016214874.tif 000003
【図２】
2016214874.tif 000004
【外国語明細書】
2016214874.tif 000005
2016214874.tif 000006
2016214874.tif 000007
2016214874.tif 000008
2016214874.tif 000009
2016214874.tif 000010
2016214874.tif 000011
2016214874.tif 000012
2016214874.tif 000013
2016214874.tif 000014
2016214874.tif 000015
2016214874.tif 000016
2016214874.tif 000017
2016214874.tif 000018
2016214874.tif 000019
2016214874.tif 000020
2016214874.tif 000021
2016214874.tif 000022
2016214874.tif 000023
2016214874.tif 000024